(57)【特許請求の範囲】
【請求項１】
タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有し、
前記受け部は、折り線を介して前記脚柱部に繋がっている少なくとも２つの片からなり、
前記筐体脚は、前記受け部の下方へ差し込まれるプレートを有し、このプレートは、前記受け部の板厚よりも厚くて、前記連結ボルトをねじ込むことができる複数個の雌ねじ部を有していることを特徴とする貯湯装置。
【請求項２】
前記脚柱部は、前記プレートが出し入れできるように、左右の側壁とこれらの奥端を繋ぐ奥壁とで構成され、
前記受け部は、前記折り線を介して前記左の側壁に繋がっている左片と、前記折り線を介して前記右の側壁に繋がっている右片とからなることを特徴とする請求項１記載の貯湯装置。
【請求項３】
前記脚柱部は、前記プレートが出し入れできるように、左右の側壁とこれらの奥端を繋ぐ奥壁とで構成され、
前記受け部は、前記折り線を介して前記左の側壁に繋がっている左片と、前記折り線を介して前記右の側壁に繋がっている右片と、前記折り線を介して前記奥壁に繋がっている中央片とからなることを特徴とする請求項１記載の貯湯装置。
【請求項４】
前記側壁に、前記プレートを仮受けする受け突起を設けたことを特徴とする請求項２又は請求項３記載の貯湯装置。
【請求項５】
前記脚柱部は、前記側板の先端部に内側へ折り曲げた折曲部を有し、前記折曲部の上端でも前記プレートを仮受けさせるようにしたことを特徴とする請求項４記載の貯湯装置。
【請求項６】
前記受け部又は前記奥壁に、前記プレートの差し込み距離を規定するストッパを設けたことを特徴とする請求項５記載の貯湯装置。
【発明の詳細な説明】
【技術分野】
【０００１】
本発明は、貯湯タンクを筐体に収納した形態の貯湯装置に関する。
【背景技術】
【０００２】
貯湯タンクを筐体に収納した形態の貯湯装置は、各種提案されてきた（例えば、特許文献１（図３）参照）。
【０００３】
特許文献１の図３に、筐体の底面パネル（１６）（括弧付き数字は、特許文献１に記載された符号を示す。以下同様）、この底面パネル（１６）を支える脚材（１７）、及び底面パネル（１６）に載るジョイント部材（２４）が開示されている。
このジョイント部材（２４）はボルト、ナットにより脚材（１７）に連結される。
【０００４】
脚材（１７）は上部に、立設部材（２０）から外方へ張り出したフランジ状の水平面（２１ａ、２１ｂ）を備え、これらの水平面（２１ａ、２１ｂ）に各々ボルトを通す貫通孔（２８、２８）が設けられている。
【０００５】
水平面（２１ａ、２１ｂ）が外方へ張り出しているため、ジョイント部材（２４）のベースである水平板（２６）は必然的に大きくなり、水平板（２６）のための材料コストが嵩む。
【０００６】
また、水平板（２６）に設ける貫通孔（２７、２７）の位置は、下位の貫通孔（２８、２８）によって定まり、貫通孔（２８、２８）のピッチが大きいため、貫通孔（２７、２７）のピッチも大きくなる。ジョイント部材（２４）に地震などにより上向き力が加わると、一対の貫通孔（２７、２７）を支点として、水平板（２６）は上方へ凸になるように変形する心配がある。対策として、水平板（２６）を厚くすることで、変形を抑制する。しかし、厚くすると水平板（２６）が重くなると共に材料コストが嵩む。
【０００７】
そこで、水平板（２６）の小型化を図る構造が、提案されてきた（例えば、特許文献２（図７、図８）参照）。
特許文献２を次図に基づいて説明する。
図１５（ａ）は、従来の脚材の展開図であり、帯板から奥壁１０１、左壁１０２、右壁１０３、脚底部１０４、略正方形の受け部１０５及びこの受け部１０５から左右に張り出した耳片１０６、１０６からなる切り板１０７を切り出す。
【０００８】
そして、この切り板１０７を折り曲げる。
図１５（ｂ）において、脚底部１０４を、左壁１０２及び右壁１０３にスポット溶接などにより連結し、耳片１０６、１０６を、左壁１０２及び右壁１０３にスポット溶接などにより連結する。以上により、得られた脚材１００は、奥壁１０１を有するため剛性が高くなる。
【０００９】
加えて、脚材１００は、受け部１０５が十分に小さく、そこに設けた貫通孔１０８のピッチＰも十分に小さくなる。ピッチＰが小さいため、受け部１０５における局部変形の発生を抑制することができる。
【００１０】
ただし、受け部１０５に注目すると、耳片１０６、１０６を、左壁１０２及び右壁１０３にスポット溶接などにより連結することが必須であるため、製造コストが嵩む。
貯湯装置のコストダウンが求められている中、低コストの脚材１００を提供することが求められる。
【先行技術文献】
【特許文献】
【００１１】
【特許文献１】特開２０１４−２９２３１号公報
【特許文献２】特開２０１１−１２８９６号公報
【発明の概要】
【発明が解決しようとする課題】
【００１２】
本発明は、低コストの筐体脚を備える貯湯装置を提供することを課題とする。
【課題を解決するための手段】
【００１３】
請求項１に係る発明は、タンク脚が備えられ湯を貯える貯湯タンクと、この貯湯タンクを収納する筐体と、この筐体の底板から下方へ延びて前記筐体及び前記貯湯タンクを支える筐体脚と、この筐体脚と前記タンク脚とを連結する連結ボルトと、を備えている貯湯装置において、
前記タンク脚は、前記筐体の底板に載る底部を有し、この底部は、前記連結ボルトを通すボルト穴を複数個備え、
前記筐体の底板は、前記連結ボルトを通す筐体側通孔を有し、
前記筐体脚は、前記筐体の底板の下面に当接すると共に前記連結ボルトを通す脚側通孔を有する受け部と、この受け部から下方へ延びる脚柱部と、この脚柱部の下部に設けられ設置面に当接する脚底部とを有し、
前記受け部は、折り線を介して前記脚柱部に繋がっている少なくとも２つの片からなり、
前記筐体脚は、前記受け部の下方へ差し込まれるプレートを有し、このプレートは、前記受け部の板厚よりも厚くて、前記連結ボルトをねじ込むことができる複数個の雌ねじ部を有していることを特徴とする。
【００１５】
請求項２に係る発明では、脚柱部は、プレートが出し入れできるように、左右の側壁とこれらの奥端を繋ぐ奥壁とで構成され、受け部は、折り線を介して左の側壁に繋がっている左片と、折り線を介して右の側壁に繋がっている右片とからなることを特徴とする。
【００１６】
請求項３に係る発明では、脚柱部は、プレートが出し入れできるように、左右の側壁とこれらの奥端を繋ぐ奥壁とで構成され、受け部は、折り線を介して左の側壁に繋がっている左片と、折り線を介して右の側壁に繋がっている右片と、折り線を介して奥壁に繋がっている中央片とからなることを特徴とする。
【００１７】
請求項４に係る発明では、側壁に、プレートを仮受けする受け突起を設けたことを特徴とする。
【００１８】
請求項５に係る発明では、脚柱部は、側板の先端部に内側へ折り曲げた折曲部を有し、折曲部の上端でもプレートを仮受けさせるようにしたことを特徴とする。
【００１９】
請求項６に係る発明では、受け部又は奥壁に、プレートの差し込み距離を規定するストッパを設けたことを特徴とする。
【発明の効果】
【００２０】
請求項１に係る発明では、受け部を構成する少なくとも２つの片は、折り曲げるだけであって、付近の部材（側壁など）にスポット溶接する必要はない。よって、スポット溶接などに要する製造コストを下げることができる。
よって、本発明によれば、低コストの筐体脚を備える貯湯装置が提供される。
【００２１】
加えて、請求項１に係る発明では、筐体脚は、受け部の下方へ差し込まれるプレートを有し、このプレートは、受け部の板厚よりも厚くて、連結ボルトをねじ込むことができる複数個の雌ねじ部を有している。プレートで受け部を補強することができるため、受け部を薄くすることができる。なお、プレートはナットの代替品であるため、コストアップに繋がらない。
【００２２】
請求項２に係る発明では、受け部は、折り線を介して左の側壁に繋がっている左片と、折り線を介して右の側壁に繋がっている右片とからなる。
図１５（ａ）で説明した受け部１０５は、奥壁１０１の幅と同じ長さの辺で構成される四辺形板であって、切り板１０７は必然的に大きくなる。
この点、本発明の左右の片の突出長さは、各々奥壁の幅の半分程度となる。結果、切り板が小さくなり、材料歩留まり性が向上する。
【００２３】
請求項３に係る発明では、受け部は、折り線を介して左の側壁に繋がっている左片と、折り線を介して右の側壁に繋がっている右片と、折り線を介して奥壁に繋がっている中央片とからなる。左右の片の突出長さは、各々奥壁の幅の半分程度となり、中央片の突出長さは、側壁の幅の半分程度になる。結果、切り板が小さくなり、材料歩留まり性が向上する。
加えて、左右の片が各々左右の側壁に繋がり、中央片が奥壁に繋がっているため、受け部に加わった力を、左右の側壁及び奥壁からなる脚柱部へ良好に伝えることができ、強度的に好ましい構造であるといえる  。
【００２４】
請求項４に係る発明では、側壁に設けた受け突起に、プレートを仮受けさせることができる。すなわち、連結ボルトをねじ込む前にプレートを手で持ち上げる必要がなく、組付け作業が容易になる。
【００２５】
請求項５に係る発明では、脚柱部は、側板の先端部に内側へ折り曲げた折曲部を有し、折曲部の上端でもプレートを仮受けさせるようにした。請求項３では、受け突起は左右、前後に合計４個が必要である。請求項４では、２個を折曲部に委ねるため、受け突起は２個で済む。また、折曲部は、脚柱部の剛性を高める役割を果たす。
【００２６】
請求項６に係る発明では、受け部又は奥壁に、プレートの差し込み距離を規定するストッパを設けた。折曲部に載せる都合上、プレートを過度に差し込むことはできない。過度に差し込むとプレートが折曲部から外れるからである。本発明によれば、ストッパにプレートが当たった時点で差し込み作業が終了するため、組付け作業が容易になる。プレートが折曲部から外れる心配もない。
【図面の簡単な説明】
【００２７】
【図１】本発明に係る貯湯装置の断面図である。
【図２】図１の２部拡大図である。
【図３】筐体脚の展開図である。
【図４】筐体脚の平面図である。
【図５】筐体脚の正面図である。
【図６】プレートとしての正方形板の平面図及び断面図である。
【図７】受け突起の作用図である。
【図８】Ａタイプ筐体脚を説明する図である。
【図９】Ｂタイプ筐体脚を説明する図である。
【図１０】筐体脚の配置を説明する図である。
【図１１】プレートの作用を説明する図である。
【図１２】材料歩留まりを説明する図である。
【図１３】受け部の変更例を説明する図である。
【図１４】貯湯装置の要部の変更例を説明する図である。
【図１５】従来の筐体脚の展開図及び斜視図である。
【発明を実施するための形態】
【００２８】
本発明の実施の形態を添付図に基づいて以下に説明する。なお、図面は符号の向きに見るものとする。
【実施例】
【００２９】
図１に示すように、貯湯装置１０は、タンク脚１１を有する縦長の貯湯タンク１２と、この貯湯タンク１２を収納する筐体１３と、この筐体１３の底板１４から下方へ延びて筐体１３及び貯湯タンク１２を支える筐体脚３０と、この筐体脚３０とタンク脚１１とを連結する連結ボルト１６とを備えている。給水管１７で水を貯湯タンク１２に供給し、出湯管１８で湯を貯湯タンク１２から取り出すことができる。
【００３０】
図２に示すように、タンク脚１１の底部１９は、筐体１３の底板１４に載っている。また、筐体１３の底板１４は、筐体脚３０の上部を構成する受け部３１に載っている。受け部３１の下にプレートとしての正方形板５０が差し込まれている。プレートとしての正方形板５０は雌ねじ部５５を有する。例えば、受け部３１の板厚は２〜３ｍｍであり、正方形板５０の板厚は４〜５ｍｍであって、正方形板５０は、受け部３１に比較して格段に厚い。すなわち、受け部３１は、正方形板５０に比較して格段に薄い。
【００３１】
筐体１３の底板１４には、筐体側通孔１５が設けられている。
連結ボルト１６は、上から下向きにタンク脚１１の底部１９に設けられた第１〜第３ボルト穴２２〜２４の一つを通過し、その下の筐体側通孔１５及び脚側通孔３４を通過し、雌ねじ部５５にねじ込まれている。
結果、底板１４を挟んで、筐体脚３０とタンク脚１１が連結される。
【００３２】
以下、筐体脚３０とタンク脚１１につき詳しく説明する。
図３（ａ）に示すように、筐体脚３０の要部は、ブランク材３２から打ち抜き形成される。
横に延びる谷折り線（線が谷底になるよう折る線。）３３より上で、受け部３１が形成される。受け部３１は、中央片３１ａと、左片３１ｂと、右片３１ｃとからなる。中央片３１ａと、左片３１ｂと、右片３１ｃには、各々脚側通孔３４が打ち抜き形成されている。脚側通孔３４は長孔である。そして、受け部３１は谷折り線３３により、図面おもて側に折り曲げられる。
【００３３】
横に延びる谷折り線３３より下で、脚柱部３５が形成される。脚柱部３５は、縦に延びる谷折り線３６、３７、３８、３９で谷折りされる。谷折り線３７と谷折り線３８とで奥壁４１が形成され、谷折り線３６と谷折り線３７とで左の側壁４２Ｌ（Ｌは左を示す添え字。以下同）が形成され、谷折り線３６で左の折曲部４３Ｌが形成され、谷折り線３８と谷折り線３９とで右の側壁４２Ｒ（Ｒは右を示す添え字。以下同じ）が形成され、谷折り線３９で右の折曲部４３Ｒが形成される。
【００３４】
好ましくは、左右の側壁４２Ｌ、４２Ｒに受け突起４４、４４を形成する。
図３（ｂ）に示すように、受け突起４４は、パンチとダイで形成されるダボである。ただし、受け突起４４は短いピンを側壁４２Ｌ、４２Ｒに溶接又はねじ込んでもよい。
【００３５】
さらに好ましくは、中央片３１ａにストッパ４５を設ける。
図３（ｃ）に示すように、ストッパ４５は、パンチとダイで形成されるダボである。ただし、ストッパ４５は短いピンを中央片３１ａに溶接又はねじ込んでもよい。
ダボであれば短いピンを準備して接合する作業が省ける。部品点数の削減が図れ、部品（ピン）を紛失する心配は無くなる。なお、ストッパ４５は、奥壁４１に設けてもよい。
【００３６】
図４に示すように、折り曲げ形成された角筒状の脚柱部３５は、中央片３１ａと、左片３１ｂと、右片３１ｃとからなる受け部３１を一体的に備えている。受け部３１は、３個の脚側通孔３４を有している。
このような脚柱部３５に、側壁４２Ｌ、４２Ｒに沿って延びる脚底部４６を取付ける。
【００３７】
図５に示すように、脚底部４６は設置面４７に載る部材である。そして、コ字状に曲げ形成された脚底部４６は角筒状の脚柱部３５の下部に嵌められ、その後に、脚底部４６と脚柱部３５とは、スポット溶接やかしめ法で連結され一体化される。この連結法は、リベットやボルトナットでもよく、任意である。
中央片（図４、符号３１ａ）に、下へ延びるストッパ４５を有し、側壁４２Ｌ、４２Ｒに水平に張り出す受け突起４４、４４を有する。受け突起４４の上端レベルは、折曲部４３Ｌ、４３Ｒの上端レベルと同じに設定されている。
【００３８】
図６（ａ）に示すように、正方形板５０は、長さが等しく互いに直交する４つの辺５１、５２、５３、５４で構成されるプレートである。正方形板５０は、連結ボルト１６をねじ込むことができる３個の雌ねじ部５５を有している。３個の雌ねじ部５５、５５、５５は正三角形の頂点に配置される。
便宜上、辺５１、５３の中点を通り且つ１つの雌ねじ部５５を通る線を、板中心線５６と呼ぶ。
【００３９】
好ましくは、空いている部位に、誤差し込み防止用のダボ５７、５７、５７を設ける。
なお、正方形板５０のセンター位置と３個の雌ねじ部５５、５５、５５からなる正三角形のセンター位置とが、略重なっている。後に詳しく説明するが、センター位置が重なっていることで、正方形板５０を正面向きに差し込んでも、横向きに差し込んでも同一のセンター位置になるため、タンク脚（図１０、符号１１）の第１〜第３ボルト穴（図１０、符号２２〜２４）で形成する正三角形のセンター位置と重なり、タンク脚１１の共通化が可能となる。
【００４０】
図６（ｂ）は、図６（ａ）のｂ−ｂ線断面図である。
図６（ｂ）において、雌ねじ部５５は、上から下へねじ切りされたものであり、不可避的に下面から下方へ張り出すバリ５５ｂが残る。バリ５５ｂを除去するバリ取り加工が望まれるが、バリ５５ｂが軽微であれば、バリ取り加工を省くことがあり、この場合には、バリ５５ｂは残ったままとなる。
【００４１】
ダボ５７、５７、５７は、バリ５５ｂ側に凸になるように設けられ、例えばパンチとダイで形成される。ダボ５７は、小ピースを正方形板５０の下面に溶接してもよく、ダボ５７の形成方法は任意である。
【００４２】
図７に基づいて、正方形板５０の差し込み手順を説明する。
図７（ａ）にて、受け部３１と受け突起４４との間隔Ｄ１は、正方形板５０の板厚Ｔより僅かに大きい。受け部３１と折曲部４３Ｒとの間隔Ｄ２は、間隔Ｄ１とほぼ同じであって、正方形板５０の板厚Ｔより僅かに大きい。
【００４３】
図７（ｂ）に示す正方形板５０は誤差し込み防止用のダボ５７が下に向いており、正方形板５０は、矢印（１）（正しくは、矢印は図面おもてから裏へ延びる。）のように、間隔Ｄ１、Ｄ２へ差し込むことができる。矢印に○を付した。バリ５５ｂは下面に存在するため、実害はない。
【００４４】
一方、図７（ｃ）に示す正方形板５０は誤差し込み防止用のダボ５７が上に向いており、バリ５５ｂは上面に存在する。仮に、この向きで正方形板５０を受け部３１に当てると、バリ５５ｂが噛み込み、受け部３１に正方形板５０が密着しないという不具合が起こる。
しかし、本実施例では、誤差し込み防止用のダボ５７を備えており、正方形板５０は、矢印（２）のように、差し込もうとすると、ダボ５７が受け部３１に当たるため、差し込むことができない。よって、正方形板５０の誤差し込みが防止され、結果として正方形板５０を確実に受け部３１に密着させることができる。
【００４５】
ダボ５７は１個でも差し支えないが、本例では３個設けた。ダボ５７を上に向けた状態で、図６（ａ）において、辺５１を先頭にして差し込もうとすると、辺５１近傍のダボ５７、５７が受け部３１に当たる。辺５２を差し込もうとすると、辺５２近傍のダボ５７が受け部３１に当たる。辺５３を差し込もうとすると、辺５３近傍のダボ５７が受け部３１に当たる。辺５４を差し込もうとすると、辺５４近傍のダボ５７が受け部３１に当たる。すなわち、正方形板５０は僅かしか差し込まれない。殆ど差し込まれないため、誤差し込みが確実に防止される。
【００４６】
図７（ｂ）の向きとされた正方形板５０において、それの差し込み形態が２種類ある。これらの形態を、図８と図９とで各々説明する。
図８（ａ）に示すように、折曲部４３Ｌ、４３Ｒの外面からストッパ４５までの距離Ｄ３は、正方形板５０の辺５２の長さとほぼ同じに設定しておく。
正方形板５０の板中心線５６が側壁４２Ｌ、４２Ｒと平行になる向きで且つ辺５１を先頭にして正方形板５０を差し込む。この差し込みの際に、左右の折曲部４３Ｌ、４３Ｒ上を滑らせるようにし、且つ途中から左右の受け突起４４、４４上を滑らせるようにしてもよい。辺５１がストッパ４５に当たると差し込み作業は終了する。正方形板５０は、４箇所（左右の折曲部４３Ｌ、４３Ｒ及び左右の受け突起４４、４４）で支持されるため、落下する心配はない。
【００４７】
図８（ｂ）に示すように、脚側通孔３４、３４、３４を通して雌ねじ部５５、５５、５５が見える。辺５１が奥壁４１に接近し、板中心線５６が側壁４２Ｌ、４２Ｒに平行になっている図８（ｂ）の形態を、（Ａパターン）筐体脚３０と呼ぶ。
【００４８】
図８（ａ）において、正方形板５０のセンター位置と３個の雌ねじ部５５、５５、５５からなる正三角形のセンター位置とが、略重なっているおり、９０°回転させてもセンター位置は変わらないため、正方形板５０を時計方向に９０°回転させることができる。
図９（ａ）に示すように、辺５４を先頭にし、板中心線５６が側壁４２Ｌ、４２Ｒと直角になるようにする。この状態で、正方形板５０を差し込む。
図９（ｂ）に示すように、脚側通孔３４、３４、３４を通して雌ねじ部５５、５５、５５が見える。辺５４が奥壁４１に接近し、板中心線５６が側壁４２Ｌ、４２Ｒに直角になっている図９（ｂ）の形態を、（Ｂパターン）筐体脚３０と呼ぶ。
【００４９】
脚側通孔３４は、正方形板５０を図８（ａ）のように正面向きで差し込んだ際の雌ねじ部５５の各位置と、正方形板５０を図９（ａ）のように横向きで差し込んだ際にそれぞれ対応する雌ねじ部５５の各位置とを結ぶ範囲で開口した長孔である。
【００５０】
なお、図８（ａ）において、折曲部４３Ｌ、４３Ｒは、脚柱部３５の剛性（曲げ剛性、撓み剛性）を高める役割をも果たす。すなわち、側壁４２Ｌ、４２Ｒが単なる平壁であるときよりも、折曲部４３Ｌ、４３Ｒを付属することにより、側壁４２Ｌ、４２Ｒの剛性が高まる。
ただし、左右２個の受け突起４４、４４を左右４個にすることにより、折曲部４３Ｌ、４３Ｒを省くことは可能である。よって、折曲部４３Ｌ、４３Ｒを設けるか否かは任意である。
【００５１】
図１０（ａ）に示すように、貯湯タンク１２は、θが１２０°となるように等ピッチで３個のタンク脚１１を備えている。なお、タンク脚１１は、一般に貯湯タンク１２に重なるように貯湯タンク１２の下に配置されるが、見やすくするために、本図では貯湯タンク１２と重ならない位置に配置した。
【００５２】
３個のタンク脚１１は、貯湯タンク１２の中心１２ａから放射状に延びる基準線２１に沿って配置される。１個のタンク脚１１は、基準線２１上に配置される第１ボルト穴２２と、基準線２１に線対称になるように配置される第２ボルト穴２３及び第３ボルト穴２４を有する。第１〜第３ボルト穴２２〜２４は正三角形の頂点に配置されている。
【００５３】
便宜的に、筐体脚３０は、タンク脚１１と離れた位置に図示するが、正しくはタンク脚１１の真下に配置される。
３個の筐体脚３０は、位置を特定するために、手前の脚を筐体脚３０Ｆ、左奥の脚を筐体脚３０Ｌ、右奥の脚を筐体脚３０Ｒと呼ぶ。
【００５４】
図１０（ａ）では、３個の筐体脚３０Ｆ、３０Ｌ、３０Ｒは、図８（ｂ）で説明した（Ａタイプ）筐体脚３０である。タンク脚１１、１１、１１に各々筐体脚３０Ｆ、３０Ｌ、３０Ｒを連結することができる。
【００５５】
図１０（ｂ）では、手前の筐体脚３０Ｆが、図９（ｂ）で説明した（Ｂタイプ）筐体脚３０である。（Ｂタイプ）筐体脚３０であるため、手前のタンク脚１１に手前の筐体脚３０Ｆを連結することができる。
図１０（ｃ）では、３個の筐体脚３０Ｆ、３０Ｌ、３０Ｒは、図９（ｂ）で説明した（Ｂタイプ）筐体脚３０である。タンク脚１１、１１、１１に筐体脚３０Ｆ、３０Ｌ、３０Ｒを連結することができる。
【００５６】
すなわち、図７に示す正方形板５０を備える筐体脚３０を準備するだけで、図１０（ａ）〜（ｃ）の形態を実現することができた。結果、筐体脚３０Ｆ、３０Ｌ、３０Ｒが１種類でありながら、筐体脚３０Ｆ、３０Ｌ、３０Ｒを９０°回転させることができる貯湯装置１０が提供された。
【００５７】
なお、図２において、仮に、正方形板５０を廃して、ナットを使用する場合、ナットの沈み込みが起こらないように、脚側通孔３４の孔径を小さくすると共に座金が必要となる。
この点、本発明では、正方形板５０が沈み込む心配がないため、脚側通孔３４の孔径を大きくすることができる。孔経が大きいため、厳しい位置決めが不要となり、作業性が高まる。正方形板５０が座金の役割を発揮するため、座金は不要となり、準備する部品を削減することができる。
【００５８】
また、正方形板５０を廃して、ナットを使用する場合、ナットの受圧面積に限りがあるため、局部変形が起こらないように、受け部３１の板厚を大きくする必要がある。図３に示すブランク材３２を使用する場合、脚柱部３５は受け部３１と同じ厚さとなる。この場合、受け部３１を厚くすると、ブランク材３２が重くなり、筐体脚３０の重量増加に繋がる。
この点、本発明では、受圧面積がナットよりも格段に大きな正方形板５０を採用したため、受け部３１に局部変形が発生する心配がない。受け部３１を厚くする必要がないため、ブランク材３２は薄くでき、筐体脚３０の軽量化が図れる。
【００５９】
また、図２において、正方形板５０を廃して、ナットを使用する場合、作業者は、一方の手で、ナットを受け部３１の下面に当て、他方の手で連結ボルト１６を上から差し込んで手締めすることとなる。手締め後に本締めを行う。１つの受け部３１当たり、この手順を３回繰り返すが、この間にナットを落とすこともあり、作業が難しくなる。
この点、本発明では、正方形板５０に有する３個の雌ねじ部５５が上から見えるため、正方形板５０は初回のみ位置決めするだけで、３本の連結ボルト１６を速やかに手締めすることができ、作業の迅速化が図れる。ナットのように脱落する頻度はごく少ない。よって、作業が容易になる。
【００６０】
次に、本発明の特長をさらに説明する。
図１１（ａ）に示すように、長尺材を得るために、板６１と板６２を繋ぐことがある。このときの代表的な接続構造を図１１（ｂ）に示す。
図１１（ｂ）に示すように、板６１と板６２に跨るように上下にガセット６３、６３を添え、複数のボルト６４とナット６５で連結する。ガセット６３、６３は骨折治療の副木の役割を果たす。これで、板６１と板６２は直接繋がっていないにも拘わらず、接続される。
【００６１】
図１１（ｂ）と図２を対比すると、図１１（ｂ）のナット６５が、図２の雌ねじ部５５に相当する。以下同様に、下のガセット６３がプレート５０に相当し、板６１、６２が受け部３１に相当し、上のガセット６３が底板１４に相当し、ボルト６４が連結ボルト１６に相当する。図２に示す受け部３１が中央付近で分断されているにも拘わらず、図１１（ｂ）と同様に、強固に接続される。この構造を採用することで、図４に示すように、受け部３１を、中央片３１ａと左片３１ｂと右片３１ｃとで構成することが可能になったとも言える。
【００６２】
次に、材料歩留まりについて説明する。
図１２（ａ）は図３（ａ）で説明したブランク材３２の再掲図であり、図１２（ｂ）は、図１４（ａ）で説明した切り板１０７の再掲図である。
図１２（ａ）に示すブランク材３２の全長はＬ１である。ブランク材３２の受け部３１の突出長さは、ほぼ奥壁３１の幅の半分になる。
図１２（ｂ）に示す奥壁１０１と略正方形の受け部１０５を合わせた長さはＬ２である。受け部１０５は、奥壁１０１の幅を一辺とする正方形に近似する。
よって、長さＬ２は、長さＬ１よりΔＬだけ大きくなる。ΔＬは、奥壁４１、１０１の幅の約半分になる。
比較例の切り板１０７に比較して、本発明に係るブランク材３２は小さくなり、材料歩留まりがよくなる。
【００６３】
次に、変更例を説明する。
図１３（ａ）に示すように、脚側通孔３４は、長孔ではなく、丸孔３４、３４であってもよい。
また、図１３（ｂ）に示すように、受け部３１は、左片３１ｂと右片３１ｃとだけで構成してもよい。脚側通孔３４が偶数個であれば、半数を左片３１ｂに設け、残りを右片３１ｃに設けることができる。すなわち、脚側通孔３４が偶数個であるときに図１３（ｂ）の形態が好ましい。なお、折り曲げた形態で、左片３１ｂと右片３１ｃを奥壁４１に載せるようにしてもよい。
【００６４】
よって、受け部３１は、２つの片（左片３１ｂと右片３１ｃ）で構成することや、３つの片（中央片３１ａと左片３１ｂと右片３１ｃ）で構成することは、任意に選択できる。ただし、受け部３１に加えられた力を中央片３１ａから奥壁４１へ直接伝えることができるため、３つの片の構成がより好ましい。
【００６５】
次に、プレート５０を省いた形態の変更例を説明する。
図１４に示すように、受け部３１の下面に座金６７を当て、連結ボルト１６にナット６８をねじ込んでもよい。底板１４に載ったタンク脚１１の底部１９と、底板１４を受ける受け部３１とが、連結ボルト１６とナット６８とにより連結される。
この変更例でも、受け部３１は折り曲げ形成するだけで、周辺部材にスポット溶接をしないため、溶接コストが不要となる。
【００６６】
尚、プレート５０は、正方形板の他、長方形板、隅を斜辺とした八角形板であってもよく、雌ねじ部５５を有する板であれば、形状は適宜変更してもよい。
【産業上の利用可能性】
【００６７】
本発明は、筐体脚を有する筐体に、貯湯タンクを収納した形態の貯湯装置に好適である。
【符号の説明】
【００６８】
１０…貯湯装置、１１…タンク脚、１２…貯湯タンク、１３…筐体、１４…筐体の底板、１５…筐体側通孔、１６…連結ボルト、１９…タンク脚の底部、２２…ボルト穴（第１ボルト穴）、２３…ボルト穴（第２ボルト穴）、２４…ボルト穴（第３ボルト穴）、３０…筐体脚、３１…受け部、３１ａ…片（中央片）、３１ｂ…片（左片）、３１ｃ…片（右片）、３３、３６、３７、３８、３９…折り線（谷折り線）、３４…筐体側通孔、３５…脚柱部、４１…奥壁、４２Ｌ、４２Ｒ…側壁、４３Ｌ、４３Ｒ…折曲部、４４…受け突起、４５…ストッパ、４６…脚底部、４７…設置面、５０…プレート、５５…雌ねじ部。
【図１】
0006571558.tif 000002
【図２】
0006571558.tif 000003
【図３】
0006571558.tif 000004
【図４】
0006571558.tif 000005
【図５】
0006571558.tif 000006
【図６】
0006571558.tif 000007
【図７】
0006571558.tif 000008
【図８】
0006571558.tif 000009
【図９】
0006571558.tif 000010
【図１０】
0006571558.tif 000011
【図１１】
0006571558.tif 000012
【図１２】
0006571558.tif 000013
【図１３】
0006571558.tif 000014
【図１４】
0006571558.tif 000015
【図１５】
0006571558.tif 000016